(57)【要約】自身の垂直プレート（１１０）の上に置かれた重量を検出および／または測定し得るマルチ光学スキャナ（１００）。一実施形態において、垂直プレート（１１０）の部分は、水平プレート（１２０）の部分の下に位置される。これにより、垂直プレート（１１０）に加えられた力の全体または一部が、水平プレート（１２０）に伝達される。代替の実施形態において、１つ以上のセンサ（３３０、３３５）が、プレートへの力を検出するために、垂直プレート（１４１）に結合される。センサ（３３０、３３５）は、オペレータに誤って読まれた重量であることを警告するように、可聴信号のような警報に結合され得る。
2008524587.tif 000002
【特許請求の範囲】
【請求項１】
ロードセルに結合された水平プレートであって、該水平プレートは、第一の延伸部材を備える、水平プレートと、
該ロードセルに結合された垂直プレートであって、該垂直プレートは、第二の延伸部材を備え、該第二の延伸部材は、該第一の延伸部材の下に位置され、少なくとも一部の力が、該垂直プレートから該水平プレートに伝達され得る、垂直プレートと
を備える、スケール。
【請求項２】
前記ロードセルの上に装着された下部構造をさらに備え、
該下部構造は、前記水平プレートおよび前記垂直プレートを支持する、請求項１に記載のスケール。
【請求項３】
スキャンモジュールと、
ロードセルに結合された水平プレートであって、該水平プレートは、第一の延伸部材を備える、水平プレートと、
該ロードセルに結合された垂直プレートであって、該垂直プレートは、第二の延伸部材を備え、該第二の延伸部材は、該第一の延伸部材の下に位置され、少なくとも一部の力が、該垂直プレートから該水平プレートに伝達され得る、垂直プレートと
を備える、スキャナ。
【請求項４】
前記水平プレートおよび前記垂直プレートは、透明領域をさらに備える、請求項３に記載のスキャナ。
【請求項５】
前記水平プレートの下に配置される少なくとも１つの追加ロードセルをさらに備える、請求項３に記載のスキャナ。
【請求項６】
少なくとも１つの追加スキャンモジュールをさらに備える、請求項３に記載のスキャナ
【請求項７】
前記少なくとも一部の力が、前記垂直プレートから前記水平プレートに機械的に伝達される、請求項３に記載のスキャナ。
【請求項８】
前記水平プレートおよび前記垂直プレートは、該両プレートに加えられた力を前記ロードセルに伝達するのに十分頑強である、請求項３に記載のスキャナ。
【請求項９】
前記水平プレートおよび前記垂直プレートは、連動している、請求項３に記載のスキャナ。
【請求項１０】
前記垂直プレートが、垂直スキャンモジュールおよび筺体のうちの１つにタッチするかどうかを検出するセンサをさらに備える、請求項３に記載のスキャナ。
【請求項１１】
前記ロードセルの上に装着された下部構造をさらに備え、
前記下部構造は、前記水平プレートおよび前記垂直プレートを支持する、請求項３に記載のスキャナ。
【請求項１２】
前記水平プレートおよび前記垂直プレートは、少なくとも１つの支持点によって前記下部構造に結合される、請求項１１に記載のスキャナ。
【請求項１３】
前記垂直プレートは、ヒンジ付き構成で前記下部構造に結合される、請求項１１に記載のスキャナ。
【請求項１４】
スキャンモジュールと、
ロードセルに結合された水平プレートを備えるスケールモジュールと、
垂直プレートと、
該垂直プレートに結合されたセンサであって、該センサは、該垂直プレートへの力を検出する、センサと、
スキャナオペレータに警告をする警報と
を備える、スキャナ。
【請求項１５】
前記水平プレートおよび前記垂直プレートは、透明セクションをさらに備える、請求項１４に記載のスキャナ。
【請求項１６】
前記スケールモジュールは、前記ロードセルの上に装着された下部構造をさらに備え、
該下部構造は、前記水平プレートを支持する、請求項１４に記載のスキャナ。
【請求項１７】
前記水平プレートの下に配置される少なくとも１つの追加ロードセルをさらに備える、請求項１４に記載のスキャナ。
【請求項１８】
前記警報は、ＬＥＤおよび可聴音のうちの少なくとも１つである、請求項１４に記載のスキャナ。
【請求項１９】
ロードセルに結合された水平プレートを提供することであって、該水平プレートは、第一の延伸部材を備える、ことと、
少なくとも一部の力を垂直プレートから該水平プレートに伝達することであって、該垂直プレートは、該ロードセルに結合され、該垂直プレートは、第二の延伸部材を備え、該第二の延伸部材は、該第一の延伸部材の下に位置される、ことと
を包含する、スキャナへの力を測定する方法。
【請求項２０】
前記水平プレートおよび前記垂直プレートは、透明セクションをさらに備える、請求項１９に記載の方法。
【請求項２１】
前記水平プレートは、該プレートの下に配置される少なくとも１つの追加ロードセルに結合される、請求項１９に記載の方法。
【請求項２２】
前記少なくとも一部の力が、前記垂直プレートから前記水平プレートに機械的に伝達される、請求項１９に記載の方法。
【請求項２３】
前記水平プレートおよび前記垂直プレートは、該両プレートに加えられた力を前記ロードセルに伝達するのに十分頑強である、請求項１９に記載の方法。
【請求項２４】
前記水平プレートおよび前記垂直プレートは、連動している、請求項１９に記載の方法。
【請求項２５】
前記スキャナは、センサをさらに備え、
該センサは、前記垂直プレートが垂直スキャンモジュールおよび筺体のうちの１つにタッチするかどうかを検出する、請求項１９に記載の方法。
【請求項２６】
前記スキャナは、前記ロードセルの上に装着された下部構造をさらに備え、
前記下部構造は、前記水平プレートおよび前記垂直プレートを支持する、請求項１９に記載の方法。
【請求項２７】
前記水平プレートおよび前記垂直プレートは、少なくとも１つの支持点によって前記下部構造に結合される、請求項２６に記載の方法。
【請求項２８】
前記垂直プレートは、ヒンジ付き構成で前記下部構造に結合される、請求項２６に記載の方法。
【請求項２９】
ロードセルに結合された水平プレートを備えるスケールモジュールを提供することと、
垂直プレートに結合されたセンサによって、力を検出することと、
信号を送信して、スキャナユーザへの警報を動作することと
を包含する、スキャナの垂直プレートへの力を検出する方法。
【請求項３０】
前記水平プレートおよび前記垂直プレートは、透明セクションをさらに備える、請求項請求項２９に記載の方法。
【請求項３１】
前記スケールモジュールは、前記ロードセルの上に装着された下部構造をさらに備え、
該下部構造は、前記水平プレートを支持する、請求項２９に記載の方法。
【請求項３２】
前記水平プレートは、該プレートの下に配置される少なくとも１つの追加ロードセルに結合される、請求項２９に記載の方法。
【請求項３３】
前記警報は、ＬＥＤおよび可聴音のうちの１つである、請求項３０に記載の方法。
【発明の詳細な説明】
【技術分野】
【０００１】
（発明の分野）
本発明は、データキャプチャデバイスに関し、特にその垂直プレート上に置かれた重量を検出および／または測定し得るスキャナに関する。
【背景技術】
【０００２】
（発明の背景）
データ形式は、視角形式で数字および他の情報をコード化する任意のインディシア（ｉｎｄｉｃｉａ）であり得る。さらに、データが抽出され得る任意の物体、画像なども、またデータ形式であり得る。データ形式をデコードし得るデータキャプチャデバイスは、非常に一般的になってきた。データキャプチャデバイスの一つのタイプは、固定スキャナである。これらの固定スキャナは、例えば、水平スキャナおよび垂直スキャナのような複数のスキャナを備え得る。スキャナは、互いに垂直に位置され、オペレータに複数のスキャン角度を提供する。各スキャナは、保護用プレートによってカバーされ、平らな表面を提供する。プレートは、スキャナがデータ形式を読み取り可能となるように、窓領域を有する。
【０００３】
公知のマルチ光学スキャナにおける一部の実施形態において、スキャナの水平部分は、スキャナ上に置かれた物体の重量を測定するスケールを備える。産物のようなアイテムをその重量によって売るスーパーは、より迅速なチェックアウトおよびスペース節約のために、この種のタイプのスキャナを使用する。残念なことに、アイテムがスキャナの垂直部分にもたれかかるとき、スケールは、そのアイテムの全重量を測定し得ない。なぜなら、その重量の一部が、スキャナの垂直部分に伝達されるからである。一部の公知のスキャナは、水平スキャナと垂直スキャナとの双方をカバーするように曲がる単一の頑強なプレートを用いることによって、この問題を解決する。このプレートは、水平平面および垂直平面を有し、この両平面は、スキャナがデータ形式を読み取り可能となるように、透明部分を備える。
【発明の開示】
【発明が解決しようとする課題】
【０００４】
この単一の頑強なプラッタ（ｐｌａｔｔｅｒ）は、物体がマルチ光学スキャナの垂直部分にもたれかかる問題を解決するが、プラッタが単一であるという性質のために、別の問題が生じる。例えば、単一のプレートは、スキャナによってなされ得る修正量に限界があり、プレートの垂直部分または水平部分のいずれかに問題がある場合、そのプレート全体を取り替えなくてはならない。したがって、マルチ光学スキャナの垂直部分への力を測定および／または検出しながら、これらの問題に対処するマルチ光学スキャナに対するニーズがある。
【課題を解決するための手段】
【０００５】
（発明の概要）
本明細書に記載され、請求項に係る発明は、このニーズおよびその他のニーズを満足し、このことは、本明細書の教示から明らかになる。本発明の一実施形態は、自身の垂直プレート上に置かれた重量を検出および／または測定し得るスケールおよびスキャナを含む。
【０００６】
本発明に従って実現されるマルチ光学スキャナの実施形態は、スキャンモジュールと、ロードセルに結合された水平プレートと、ロードセルに結合された垂直プレートとを備える。水平プレートは、第一の延伸部材を備え、この第一の延伸部材は、垂直プレートから延びる第二の延伸部材の上に位置される。両プレートは、垂直プレートに加えられた少なくとも一部の力が、水平プレートに伝達され得、一方、その残りの力は、下部構造（ｕｎｄｅｒｃａｒｒｉａｇｅ）を介してロードセルに直接向かい得る。
【０００７】
一部の実施形態において、マルチ光学スキャナは、下部構造をさらに備え得る。この下部構造は、ロードセルの上に装着され、水平プレートおよび垂直プレートを支持する。両プレートは、少なくとも１つの支持点によって下部構造に結合され、これらの支持点のうちの少なくとも１つは、ヒンジであり得る。
【０００８】
マルチ光学スキャナの代替の実施形態は、スキャンモジュールと、ロードセルに結合された水平プレートを備えるスケールモジュールと、垂直プレートと、該垂直プレートへの力を検出する該垂直プレートに結合されたセンサと、マルチ光学スキャナのオペレータに警告する警報とを備える。警報は、発光ダイオード（ＬＥＤ）、可聴警告、またはスクリーンに書かれたメッセージであり得る。警報は、間違った重量測定が発生したかもしれないので、オペレータはアイテムを調整して、そのアイテムを再秤量すべきである旨をオペレータに通知する。
【０００９】
本発明の他の目的および特徴は、以下の詳細な説明を添付図面と関連付けて考慮することによって明らかになる。しかしながら、図面は、単に説明の目的のために描かれていること、および本発明の限界を規定するものではないことは、理解されるべきである。
【００１０】
図面は、縮尺どおりに描かれておらず、単に説明的なものである。また、同様の参照番号は、幾つかの図にわたって同様のエレメントを示す。
【発明を実施するための最良の形態】
【００１１】
（例示的な実施形態の詳細な説明）
ここで、マルチ光学スキャナの幾つかの例示的な実施形態が、添付図面と関連付けて、図示され、記載される。
【００１２】
上述されたように、マルチ光学スキャナは、その垂直プレートにもたれかかっている物体の重量を正しく測定しないかもしれない。本発明の一実施形態は、物体の完全な重量が測定されるように、力を垂直プレートから水平プレートに伝達するマルチウェイトプラッタシステムを備える。マルチウェイトプラッタシステムは、異なる顧客ニーズに応じて、調整可能である。例えば、頑強な垂直プレートは、より軽く、より頑強でない材料に置換され得るし、あるいはその垂直プレート上で重量に対する調整を欲しない、または要しない顧客のために取り外しされ得る。一部のスキャナにおいて、垂直プレートは使用されない。なぜなら、垂直スキャンモジュールが、粉塵から保護するために既に密封されているからである。
【００１３】
さらに、本発明の代替の実施形態において、垂直プレート上への力を検出するために、センサは、垂直プレートに結合され得る。物体が垂直プレートにもたれているので、再秤量されるべきであると、スキャナオペレータに警告する警報（例えば、ＬＥＤ、スピーカ、および／またはコンピュータなど）にも、センサは、また結合される。オペレータは、次いで、その物体の重量を得るために、その物体を調整し得る。
【００１４】
図１は、本発明に従って実現される例示的なマルチ光学スキャナ１００を示す。スキャナ１００は、店のチェックアウトカウンタの一部であり得る。スキャナ１００は、スキャナ筺体１０５、スキャナモジュール１８０、データキャプチャモジュール１３０、およびスキャンモジュール１４０を備える。スケールモジュール１８０は、垂直プレート１１０、水平プレート１２０、下部構造１７０、およびロードセル１６５を備える。
【００１５】
筺体１０５は、「Ｌ」字型形状を有し、この「Ｌ」字型形状は、水平部分と垂直部分とを有する。下部構造１７０は、筺体１０５の水平部分の上に置かれ、ロードセル１６５に結合される。水平プレート１２０は、下部構造１７０の上に置かれ、物体を置くプラットホームを形成する。水平プレート１２０上に置かれた物体の重量は、下部構造１７０を介してロードセル１６５に伝達される。例示的なロードセル１６５は、変形に敏感で、変形の量に基づいて、測定可能な電気信号を発生する。電気信号は、物体の重量を決定するために、解析され得る。
【００１６】
本発明の実施形態において、スキャナ１００は、下部構造１７０を有し得る。この下部構造１７０は、上から見たとき、長方形の蹄鉄構成を有する。ロードセル１６５は、開放側と反対の下部構造１７０の中央セクションの下に置かれる。他の実施形態において、この下部構造１７０。この構成において、スキャナ１００は、２つ以上のロードセル１６５を備え得る。ロードセル１６５が２つあるとき、各ロードセルは、下部構造１７０の対向する側の下に置かれ得る。
【００１７】
水平プレート１２０は、頑強な材料からなり、透明な領域または出窓（ｅｘｉｔ  ｗｉｎｄｏｗ）１２５を備える。出窓１２５によって、データキャプチャモジュール１３０は物体（例えば、データ形式を備える物体）をスキャン可能となる。また、垂直プレート１１０は、スキャンモジュール１４０用の出窓１１５も備える。垂直プレート１１０は、本発明の実施形態に応じて、頑強な材料、または水平プレート１２０より頑強でない材料からなり得る。水平プレート１１０および垂直プレート１２０は、垂直であるように描かれているが、代替の実施形態において、プレート１１０、１２０は、分離点において、９０°よりも大きいことも、あるいは小さいこともあり得る。
【００１８】
データモジュール１３０は、バス１４５によって一緒に結合された処理モジュール１６０、スキャンモジュール１５５、メモリ１７５、および、通信インターフェース１５０を備える。スキャンモジュール１４０は、バス１４５を介してデータキャプチャモジュール１３０に結合される。データキャプチャモジュール１３０のモジュールおよび他のコンポーネントは、ソフトウェア、ハードウェア、ハードウェアでエミュレートするソフトウェア、および再プログラマブルハードウェアの任意の組み合わせとして、インプリメントされ得る。さらに、図１は、筺体１０５の水平部分の中にデータキャプチャモジュール１３０を示すが、データキャプチャモジュール１３０のモジュールおよび他のコンポーネントの全部または一部は、筺体１０５の垂直部分の中に、あるいは外部ロケーションに位置され得る。バス１４５は、本発明の異なるモジュールの相互動作性を示す例示的なバスである。設計上の選択事項として、バスが２つ以上のこともあり得、一部の実施形態において、幾つかのモジュールは、バス１４５に結合されずに、直接結合される。
【００１９】
処理ユニット１６０は、例示的な実施形態において、１つ以上の中央演算処理装置（ＣＰＵ）、フィールドプログラマブルゲートアレイ（ＦＰＧＡ）などとして、インプリメントされ得る。一実施形態において、処理ユニット１６０は、汎用目的ＣＰＵを備え得、この汎用目的ＣＰＵは、メモリ１７５内に格納されているソフトウェアおよびデータを処理する。他の実施形態において、処理ユニット１６０のモジュールは、処理ユニット１６０のメモリ内で事前にプログラムされ、例えば、信号処理、インターフェースエミュレーションなどの機能を実行し得る。代替の実施形態において、処理は、外部コンピュータでなされ得る。処理ユニット１６０は、上述されたプロセッサの任意の組み合わせを備え得る。スキャンモジュール１４０、１５５は、例えば、レーザベースのスキャナ、イメージスキャナ、あるいはデータ形式を解析する任意の他のデバイスとして、インプリメントされ得る。
【００２０】
メモリ１７５は、揮発性メモリ、不揮発性メモリ、および再書き込み可能メモリ（例えば、ランダムアクセスメモリ（ＲＡＭ）、読み出し専用メモリ（ＲＯＭ）および／またはフラッシュメモリなど）として、インプリメントされ得る。メモリ１２０は、スキャナ１００を動作させるために使用される方法および処理を格納し得、また、生データおよび／または処理済みデータを格納するためにも使用され得る。
【００２１】
マルチ光学スキャナ１００は、様々な言語で通信する異なるデバイスまたはシステムに対するモジュールとして、インプリメントされ得る。それゆえ、データ収集モジュール１００は、外部デバイスと結合される通信インターフェース１５０を備える。スキャナは、異なる周辺機器に対して、多数の異なるタイプのインターフェースを備え得る。これらのデバイスは、コンピュータ、携帯スキャナなどを備え得る。一部の実施形態において、付属デバイス（ａｔｔａｃｈｅｄ  ｄｅｖｉｃｅ）は、処理を補助し得るか、あるいは、付属デバイスは、追加の機能性を提供し得る。スキャナ１００は、また、異なるコンピュータ言語で周辺機器とインターフェースする翻訳方法を備え得る。異なるインターフェースは、ユニバーサルシリアルバス（ＵＳＢ）、スキャナエミュレーション、ＩＢＭキーボードウェッジ（ｗｅｄｇｅ）、シンボルシリアルインターフェース（ＳＳＩ）などを含む。
【００２２】
スキャナ１００は、また、スキャナ１００によって使用される電力を管理する電力管理システムも含み得る。一部の実施形態において、スキャナ１００は、所与の時間にわたって活動が検出されないとき、節電モードに切り替わり得る。節電モードは、スキャナ１００を完全に遮断し得るか、あるいは他の節電技術を起動し得る。
【００２３】
図２は、本発明に従って、実現された例示的バイオプティック（ｂｉ−ｏｐｔｉｃ）スキャナ２００を示し、このスキャナ２００は、デュアルウェイトプラッタ（ｄｕａｌ  ｗｅｉｇｈｔ  ｐｌａｔｔｅｒ）システムを備える。バイオプテッィクスキャナ２００は、データキャプチャモジュールおよび第二のスキャンモジュールを備えるが、これらのモジュールは図示されていない。さらに、スキャナ２００は、筺体２０５、垂直ウェイトプレート２１０、水平ウェイトプレート２２０、下部構造２７０、および２つのロードセル２６０、２６５を備える。ロードセルは、筺体２０５の水平部分の中に置かれ、下部構造２７０は、ロードセル２６０、２６５の上方に置かれる。この例示的な実施形態において、下部構造２７０の上面図は、長方形が刳り抜かれた長方形のように見える。下部構造は、また、８つの支持点も備える。図２は、４つの支持点２７１〜２７４を示し、残りの４つは、図示された支持点の反対側にある（図示せず）。
【００２４】
スキャナ２００の垂直ウェイトプレートは、出窓２１５、水平延伸部材２１２、および、支持点２７３、２７４とその反対側の支持点（図示せず）とに結合される４つの支持エレメントを備える。本発明の一実施形態において、支持点２７４と、その反対側の支持点は、ヒンジとして垂直ウェイトプレート２１０に結合され得る。水平延伸部材２１２は、垂直プレート２１０の底部から水平方向に伸びる部材である。水平ウェイトプレート２２０は、出窓２２５、水平延伸部材２２２、および、支持点２７１、２７２とその反対側の支持点（図示せず）とに結合される４つの支持エレメントを備える。水平プレート２２０の延伸部材２２２は、水平ウェイトプレート２２０の延長であり、十分な長いので、垂直部材２１０の延伸部材２１２上に置かれる。延伸部材２２２の高さは、水平ウェイトプレート２２０の高さよりも低い。これは、水平プレートの延伸部材２２２が垂直プレートの延伸部材２１２上に位置するとき、水平プレートは、物体を秤量する平坦なプラットホームを提供する。一部の実施形態において、プレートがしっかりと結合されるように、延伸部材は、ナブ（ｎｕｂ）および／または溝、あるいは他の結合エレメントを備え得る。さらに、垂直ウェイトプレート２１０は、長い物体が、プレート２１０の上部隅（ｔｏｐ  ｃｏｒｎｅｒ）にもたれかかるときのために、プレート２１０の上部に水平延伸部を備え得る。
【００２５】
バイオプティックスキャナ２００のデュアルウェイトプラッタシステムは、垂直ウェイトプレート２１０にもたれかかるアイテムの重量を測定し得る。アイテム２５０がスキャナ２００にもたれかかるとき、下向きの力が、水平ウェイトプレートに付加され、ロードセルによって測定される。さらに、もたれかかっているアイテム２５０は、垂直プレート２１０上に下向きの負荷および横向きの負荷を生成する。垂直プレート２１０上への下向きの負荷は、支持点２７３、２７４を介して下部構造２７０に伝達され、ロードセルによって測定される。垂直プレート２１０への横向きの負荷は、支持点２７４にモーメントを生成し、このモーメントは、モーメントアームを介して水平プレート２２０に伝達され、次いで、ロードセル２６０、２６５によって測定される。垂直プレートおよび水平プレートは、負荷を伝達するのに十分頑強な材料からなる。こうして、スキャナ２００は、アイテム２５０の全重量を測定する。
【００２６】
一部の業界は、デュアルウェイトプラッタシステムではなく、バイオプティックスキャナを欲し得る。本発明のウェイトプラッタシステムのデュアルの性質によって、スキャナは、このような状況に対しても構成可能となる。例えば、頑強な垂直ウェイトプレートは、オプションであり得る。デュアルウェイトプラッタシステムの代わりに、本発明の代替の実施形態において、マルチ光学スキャナは、垂直プレートへの負荷を検出するセンサを備え得る。センサは、例えば、ＬＥＤまたはスピーカのような警報に結合される。警報は、測定重量が間違いであり得るので、そのアイテムは、再秤量されるべきである旨をスキャナオペレータに警告し得る。
【００２７】
図３は、例示的なバイオプティックスキャナ３００を示し、このスキャナ３００は、垂直プレートへの力を検出するセンサシステムを備える。図１に記載されたコンポーネントに加え、例示的なバイオプティックスキャナ３００は、筺体３０５、垂直プレート３１０、および水平プレート３２０を備える。水平プレート３２０は、頑強な材料からなり、ウェイトプラッタとして機能する。プレート３２０は、また透明領域３２５も備え、この透明領域３２５を介して、スキャナは、データ形式を読み取り得る。水平プレート３２０は、４つの支持点によって下部構造３７０の上方に置かれ、下部構造３７０は、２つのロードセル３６０、３６５の上に位置される。物体が水平プレート３２０の上に置かれると、その重量は、そのプレートおよび下部構造を介して伝達され、ロードセル３６０、３６５に伝達される。
【００２８】
垂直プレート３１０は、頑強な材料からなることも、ならないこともあり得、スキャンするために、透明領域３１５を備える。さらに、ウェイトプレート３１０は、長い物体が、プレート３１０の上部隅にもたれかかるときのために、プレート３１０の上に水平延伸部を備える。垂直プレート３１０は、また、力センサまたは変位センサ３３０、３３５にも結合される。センサは、例えば、発光ダイオード（ＬＥＤ）３４５、ならびに／もしくはスピーカまたは他の可聴デバイス３４０のような警報デバイスに結合される。警報デバイスは、物体３５０が垂直プレート３１０にもたれかかってるとき、作動される。警報デバイス３４０、３４５は、センサ３３０、３３５に直接結合され得るか、あるいは警報デバイス３４０、３４５は、処理モジュール１６０を介してセンサ３３０、３３５に結合され得る。さらに、スキャナ３００は、例えば、金銭登録機および／または何らかの他のコンピュータのようなデバイスに結合され得る。金銭登録機は、センサ３３０、３３５が作動されるとき、秤量結果を無効にするようにプログラムされ得る。金銭登録機は、また、オペレータに、物体３５０を調整して、それを再秤量するようにと、警告メッセージを表示し得る。
【００２９】
図４は、マルチ光学スキャナの垂直プレートにもたれかかっている物体の重量を測定する方法４００の例示的な実施形態を示す。方法４００の説明において、スキャナ２００への参照がなされる。本明細書に記載された方法４００および他の方法のステップは、例示的なものであり、ステップの順番は、設計選択の事項として、並び替えられ得る。方法４００は、ステップ４０５から開始する。例示的な実施形態において、方法４００は、物体２５０がスキャナ２００の垂直プレート２１０にもたれかかるときに開始する。
【００３０】
ステップ４０５からステップ４１０に進み、そこで、物体２５０によって垂直プレート２１０に加わえられた横向きの力は、水平プレート２２０に機械的に伝達され、したがって、延伸部材２１２に生成されるモーメントアームを介して、ロードセル２６０、２６５に伝達される。物体２５０によって水平プレート２２０および垂直プレート２１０に加えられた下向きの力も、またロードセルにパスされる。それゆえ、ステップ４１５において、ロードセル２６０、２６５は、物体２５０の完全な重量を測定する。方法４００は、ステップ４２０で終了し、スキャナ２００は、スキャンおよび／または測定する別の物体を受ける準備が整う。
【００３１】
図５は、マルチ光学スキャナの垂直プレートにもたれかかっている物体を検出する方法５００の例示的な実施形態を示す。方法５００の説明において、スキャナ３００への参照がなされる。本明細書に記載された方法５００および他の方法のステップは、例示的なものであり、ステップの順番は、設計選択の事項として、並び替えられ得る。方法５００は、ステップ５０５から開始する。例示的な実施形態において、方法５００は、物体３５０がスキャナ３００の垂直プレート３１０にもたれかかるときに開始する。
【００３２】
処理がステップ５０５からステップ５１０に進むと、ここで、センサ３３０、３３５によって、力が垂直プレート３１０上で検出される。一実施形態において、センサ３３０、３３５は、例えば、ＬＥＤ３４５およびスピーカ３４０のような警報に直接結合される。こうして、ステップ５１０で、力が検出された後、処理は、ステップ５１５に進み、ここで、スキャナのオペレータは、もたれかかっている物体３５０に対する警報を受ける。ＬＥＤ３４５は、色において赤であり得、および／または閃光を発し得る。さらに、スピーカ３４０は、ビープ音を発し得、あるいはオペレータに物体の再秤量を行うように指示し得る。
【００３３】
代替の実施形態において、センサ３３０、３３５は、処理モジュールに結合され得る。処理モジュールは、通信インターフェース１５０を介して、結合されたデバイスに警告信号を出力し得る。ステップ５１５で、結合されたデバイスは、最後の重量測定を無効にすること、および／またはアイテムの再秤量するようにオペレータに告げることによって、オペレータに警報を出すようにプログラムされ得る。オペレータが警告された後、方法５００は、ステップ５２０で終了し、スキャナ３００は、物体を再秤量する準備が整う。
【００３４】
本発明の好ましい実施形態で適用されるような本発明の基本的な新たな特徴が、図示され、記載され、指摘されてきたが、本発明の精神から逸脱することなく、開示された発明の形式および詳細において、様々な省略、置換および変更が、当業者によってなされ得ることは、理解されるべきである。それゆえ、本明細書に添付される請求の範囲によって表わされることによってのみ、限定されることを意図している。
【図面の簡単な説明】
【００３５】
【図１】図１は、本発明の実施形態に従って実現される例示的なマルチ光学スキャナを示す。
【図２】図２は、本発明の例示的なデュアルウェイトプラッタの実施形態を示す。
【図３】図３は、本発明の例示的な垂直プレートセンサの実施形態を示す。
【図４】図４は、本発明の実施形態に従って実現される例示的なマルチウェイトプラッタ方法を示す。
【図５】図５は、本発明の実施形態に従って実現される例示的な垂直プレート力検出方法を示す。
【図１】
2008524587.tif 000003
【図２】
2008524587.tif 000004
【図３】
2008524587.tif 000005
【図４】
2008524587.tif 000006
【図５】
2008524587.tif 000007
【国際調査報告】
2008524587.tif 000008